(57)【要約】【課題】  ロールペーパー本来の機能に付随して、使用のたびに切り取り部に種々の表示を顕すことができるロールペーパーを提供する。【解決手段】  ロールペーパー１は、２枚重ねのものである。ロールペーパー１の表層のペーパー２には、幅方向の中間部に切れ目４とその左右にミシン目５を入れた切り取り部６を長さ方向の所定間隔ごとに形成してある。表層のペーパー２に重なる裏層のペーパー３には、幅方向にミシン目７の切り取り部を表層のペーパー２の切り取り部６より引き出し方向にずらして形成してある。表層のペーパー２に重なる裏層のペーパー３には、表層のペーパー２の切り取り部６の切れ目４に対応して所要の表示８を施してある。表層のペーパー２には、その切り取り部の切れ目を囲む目印枠９を表示してある。【選択図】        図１
2011092455.tif 000002
【特許請求の範囲】
【請求項１】
２枚重ね以上のロールペーパーであって、
表層のペーパーには、幅方向の中間部に切れ目とその左右にミシン目を入れた切り取り部を長さ方向の所定間隔ごとに複数形成してあり、
前記表層のペーパーに重なる裏層のペーパーには、幅方向の中間部に切れ目とその左右にミシン目を入れた切り取り部を前記表層のペーパーの切り取り部より引き出し方向または巻き元方向のいずれかにずらして形成してあるとともに、
前記表層のペーパーに重なる前記裏層のペーパーには、表層のペーパーの切り取り部の切れ目に対応して所要の表示を成してある
ことを特徴とするロールペーパー。
【請求項２】
前記表層のペーパーには、その切り取り部の切れ目を囲む目印枠を表示してあることを特徴とする請求項１記載のロールペーパー。
【発明の詳細な説明】
【技術分野】
【０００１】
本発明は、トイレットペーパーなどであって２枚重ね以上のロールペーパーに関するものである。
【背景技術】
【０００２】
トイレットペーパーなどであって２枚重ねのロールペーパーはダブルタイプとして広く実用に供されており、それには使用にあたって切り取りやすいように、表層のペーパーと裏層のペーパーともに同一部位に幅方向にミシン目入れたものが知られている（実用新案登録第３０８７４５５号公報および特開２００６−１８０９１６号公報参照）。そして、ロールペーパーの幅方向にミシン目と切れ目を入れて切り取り部を形成したものも知られている（実用新案登録第３１０２９６４号公報参照）。
【０００３】
また、トイレットペーパーに学習教材の表示をしたり（実開平７−３３１９２号公報参照）、あるいは種々の文書を表示して書籍として利用するものも知られている（実用新案登録第３１２０２４２号公報参照）。
【先行技術文献】
【特許文献】
【０００４】
【特許文献１】実用新案登録第３０８７４５５号公報
【特許文献２】特開２００６−１８０９１６号公報
【特許文献３】実用新案登録第３１０２９６４号公報
【特許文献４】実開平７−３３１９２号公報
【特許文献５】実用新案登録第３１２０２４２号公報
【発明の概要】
【発明が解決しようとする課題】
【０００５】
ところで、トイレットペーパーは一般家庭はもとより種々の公共施設や私設施設などで日常的に使用されるものであるから、使用者にとって衛生的に取り扱えてしかも切り取りやすいことが肝要であることは勿論であるが、これが日常的に使用されるものであるところから、その本来の用途のほかに他の付随的な機能をもたせることもきわめて有意義である。
【０００６】
そこで本発明は、そのような有意義な機能も併せもつトイレットペーパーなどのロールペーパーであって、使用のたびに切り取り部に種々の表示を顕すことができるロールペーパーを提供することを目的とするものである。
【課題を解決するための手段】
【０００７】
上記目的を達成する本発明の請求項１係るロールペーパーは、２枚重ね以上のロールペーパーであって、表層のペーパーには、幅方向の中間部に切れ目とその左右にミシン目を入れた切り取り部を長さ方向の所定間隔ごとに複数形成してあり、前記表層のペーパーに重なる裏層のペーパーには、幅方向の中間部に切れ目とその左右にミシン目を入れた切り取り部を前記表層のペーパーの切り取り部より引き出し方向または巻き元方向のいずれかにずらして形成してあるとともに、前記表層のペーパーに重なる前記裏層のペーパーには、表層のペーパーの切り取り部の切れ目に対応して所要の表示を成してあることを特徴とするものである。
【０００８】
本発明の請求項２に係るロールペーパーは、請求項１の構成において、前記表層のペーパーには、その切り取り部の切れ目を囲む目印枠を表示してあることを特徴とするものである。
【発明の効果】
【０００９】
本発明に係るロールペーパーによれば、ロールペーパー本来の機能に付随して、使用のたびに切り取り部に種々の表示を顕すことができる効果が得られる。
【図面の簡単な説明】
【００１０】
【図１】本発明の一実施の形態に係るロールペーパーの引き出し態様の斜視図である。
【図２】同上全体の斜視図である。
【図３】図１の他の状態を示す斜視図である。
【図４】ペーパーホルダーに装着したロールペーパーを使用にあたって引き出す態様とその際の付随的表示機能を顕した斜視図である。
【図５】ロールペーパーを表裏反転使用するものの態様を示す斜視図である。
【図６】他の表示態様を示すロールペーパーの斜視図である。
【図７】さらに他の表示機能を示す斜視図である。
【図８】表示事項の他例を示す正面図である。
【発明を実施するための形態】
【００１１】
図面には本発明に係るロールペーパーとしてトイレットペーパーを例示している。このロールペーパー１は、表層のペーパー２と裏層のペーパー３を重層させた２枚重ねのものであって、幅方向の中間部に切れ目４とその左右にミシン目５，５を入れた切り取り部６を長さ方向の所定間隔ごとに形成してある。また、表層のペーパー２に重なる裏層のペーパー３には、幅方向にミシン目７を表層のペーパー２の切り取り部６より引き出し方向にａだけずらして形成してある。なお、裏層のペーパー３のミシン目７は切り目を加えるなどその他の切り取り部であってもよい。
【００１２】
前記表層のペーパー２に重なる裏層のペーパー３には、表層のペーパー２の切り取り部６の切れ目４に対応して所要の表示８を成してある。この表示８は図１ないし図５において「口を開いた状態の歯並び」を例示している。そこでこの表示の例に対応して表層のペーパー２には、その切り取り部の切れ目を囲む目印枠９として開いた口の形を表示してある。
【００１３】
ロールペーパー１は、図４に示すようにペーパーホルダー１０に装着して使用するが、使用にあたってロールパーパー１を手１１で摘んで引き出せば、先ず表層のペーパー２の切れ目４が引き出し方向に伸びて裏層のペーパー３に表示してある歯の表示８が口の形の目印枠９内に顕れるので、例えば歯磨きの励行などを使用者に認識させることができる。したがって、この歯並びの表示８を施したものは歯科医院などの施設用として好適である。
【００１４】
本発明において裏層のパーパー３に施す表示８は、図６に示すように細菌やウイルスのロゴや、図７に示すように手洗い励行のロゴ、さらには図８に示すように種々のロゴなどであってもよい。
【符号の説明】
【００１５】
１  ロールペーパー
２  表層のペーパー
３  裏層のペーパー
４  切れ目
５  ミシン目
６  切り取り部
７  ミシン目
８  表示
９  目印枠
１０  ペーパーホルダー
１１  手
【図１】
2011092455.tif 000003
【図２】
2011092455.tif 000004
【図３】
2011092455.tif 000005
【図４】
2011092455.tif 000006
【図５】
2011092455.tif 000007
【図６】
2011092455.tif 000008
【図７】
2011092455.tif 000009
【図８】
2011092455.tif 000010